(57)【要約】【課題】液晶装置等の駆動装置において、表示画像の焼き付きを防ぎつつ、表示画像にムラが発生することを防ぎ、表示画像の高品位化を図る。【解決手段】電気光学装置の駆動装置は、走査線、データ線、走査線及びデータ線の交差に対応して配列された画素部、走査線を介して走査信号を供給する走査信号供給手段と、データ線を介して、画像信号に対応し、所定の電位に対する極性がフレーム毎に反転する駆動電圧を前記複数の画素部に印加すると共に、所定の極性を有するパルス状の補正電圧（Ｖ）を、少なくとも前記画像信号に先行するタイミングでデータ線に印加する電圧印加手段（３、５、６）とを備える。【選択図】図６
2010127953.tif 000002
【特許請求の範囲】
【請求項１】
画像表示領域に相交差して配線された複数の走査線及び複数のデータ線並びに該複数の走査線及び複数のデータ線の交差に対応するように配列された複数の画素部を有する電気光学装置の駆動装置であって、
前記複数の走査線を介して走査信号を供給する走査信号供給手段と、
前記複数のデータ線を介して、画像信号に対応し、所定の電位に対する極性がフレーム毎に反転する駆動電圧を前記複数の画素部に印加すると共に、所定の極性を有するパルス状の補正電圧を、少なくとも前記画像信号に先行するタイミングで前記複数のデータ線に印加する電圧印加手段と
を備えることを特徴とする電気光学装置の駆動装置。
【請求項２】
前記電圧印加手段は、前記補正電圧を、前記フレームの各々内における前記画像信号に係る水平期間毎に、前記画像信号に先行するタイミングで、前記複数のデータ線に対して、印加することを特徴とする請求項１に記載の電気光学装置の駆動装置。
【請求項３】
前記電圧印加手段は、前記補正電圧を、前記複数のデータ線に対して一斉に、印加することを特徴とする請求項１又は２に記載の電気光学装置の駆動装置。
【請求項４】
前記所定の極性は、負極性であることを特徴とする請求項１から３のいずれか一項に記載の電気光学装置の駆動装置。
【請求項５】
前記補正電圧は、前記駆動電圧が正極性を有するフレームに対して印加される第１の補正電圧と、前記駆動電圧が負極性を有するフレームに対して印加される第２の補正電圧とを含んでなることを特徴とする請求項１から４のいずれか一項に記載の電気光学装置の駆動装置。
【請求項６】
前記電圧印加手段は、前記複数のデータ線が分割された複数のブロックの夫々において、１水平期間内に所定の選択順で選択されたデータ線に前記駆動電圧を印加し、
前記所定の選択順を時間軸上で変更する選択順制御手段を更に備えることを特徴とする請求項１から５のいずれか一項に記載の電気光学装置の駆動装置。
【請求項７】
前記選択順制御手段は、少なくともフレーム毎に前記所定の選択順を変更することを特徴とする請求項６に記載の電気光学装置の駆動装置。
【請求項８】
前記選択順制御手段は、水平期間毎に前記選択順を変更することを特徴とする請求項６又は７に記載の電気光学装置の駆動装置。
【請求項９】
画像表示領域に相交差して配線された複数の走査線及び複数のデータ線並びに該複数の走査線及び複数のデータ線の交差に対応するように配列された複数の画素部を有する電気光学装置の駆動方法であって、
前記複数の走査線を介して走査信号を供給する工程と、
前記複数のデータ線を介して、画像信号に対応し、所定の電位に対する極性がフレーム毎に反転する駆動電圧を前記複数の画素部に印加する工程と、
所定の極性を有するパルス状の補正電圧を、少なくとも前記フレーム毎に前記画像信号に先行するタイミングで印加する工程と
を備えることを特徴とする電気光学装置の駆動方法。
【請求項１０】
請求項１から８のいずれか一項に記載の電気光学装置の駆動装置と、
一対の基板と、
該一対の基板に挟持された電気光学物質と、
前記複数の走査線及び前記複数のデータ線の交差に対応して配列された画素電極と
を備えることを特徴とする電気光学装置。
【請求項１１】
前記一対の基板の一方に前記画素部毎に設けられると共に、前記走査線から供給される前記走査信号に応じてオンすることで、前記データ線から供給される前記画像信号を、前記画素電極に供給するスイッチング素子を更に備え、
前記電圧印加手段は、前記スイッチング素子がオン状態になる直前の期間に、前記補正電圧を印加することを特徴とする請求項１０に記載の電気光学装置。
【請求項１２】
前記補正電圧は、前記電気光学物質の応答時間に比べて短い時間幅を有することを特徴とする請求項１０又は１１に記載の電気光学装置。
【請求項１３】
前記一対の基板の一方に前記画素部毎に設けられると共に、前記走査線から供給される前記走査信号に応じてオンすることで、前記データ線から供給される前記画像信号を、前記画素電極に供給するスイッチング素子を更に備え、
前記電圧印加手段は、前記スイッチング素子がオン状態になっている期間に、前記補正電圧を印加することを特徴とする請求項１０に記載の電気光学装置。
【請求項１４】
請求項１０から１３のいずれか一項に記載の電気光学装置を備えることを特徴とする電子機器。
【発明の詳細な説明】
【技術分野】
【０００１】
本発明は、例えば液晶装置等の電気光学装置の駆動装置及び駆動方法、並びに、当該駆動装置を備える電気光学装置、更に該電気光学装置を備えて構成される例えば液晶プロジェクタ等の電子機器の技術分野に関する。
【背景技術】
【０００２】
この種の電気光学装置では、一対の電極間に画像信号に対応する駆動電圧を印加することによって、電極間に挟持された電気光学物質（例えば、液晶等）を配向制御し、画像表示を行う。駆動電圧は表示画像の焼き付きを防止する或いはフリッカを防止するべく、極性反転しながら印加される。ここで特に、画素の階調を規定する画像信号が供給されるデータ線と、データ線に接続された画素列との間には、寄生容量が発生する。この寄生容量の存在によって、表示画像にデータ線に沿った方向に表示ムラが発生することがある。
【０００３】
特許文献１では、データ線に画像信号を供給する順番を変更することによって、この表示ムラを軽減し、表示画像の画質を向上させる技術が開示されている。また、特許文献２では、画像信号に対応する駆動電圧に重畳するように、駆動電圧の極性に応じて極性反転する補正電圧を駆動電圧に重ねて印加することにより、画素の書き込み速度を向上させ、表示ムラを抑制する技術が開示されている。
【０００４】
【特許文献１】特開２００４−４５９６７号公報
【特許文献２】特開２００５−４３４１８号公報
【発明の開示】
【発明が解決しようとする課題】
【０００５】
しかしながら、上述の背景技術によると、ある程度表示ムラを改善できる可能性があるものの、依然として少なからず表示ムラが残存し、更なる画質の改善が求められる。また、例えば液晶プロジェクタのような機器に組み込まれる電気光学装置では、例えば画素電極に駆動電圧を印加するタイミングをスイッチング制御する薄膜トランジスタが、強力な光に曝されることによりリーク電流を生じてしまう。即ち、光リーク電流の発生によって画素電極に電位が降下し、表示画像へのムラの発生を助長してしまうという技術的な問題点がある。
【０００６】
本発明は、例えば上記問題点に鑑みてなされたものであり、表示画像の焼き付きを防ぎつつ或いはフリッカを低減しつつ、高品位な画像表示が可能な電気光学装置の駆動装置及び方法、並びに当該駆動装置を備える電気光学装置、更にそのような電気光学装置を備える電子機器を提供することを課題とする。
【課題を解決するための手段】
【０００７】
本発明の電気光学装置の駆動装置は上記課題を解決するために、画像表示領域に相交差して配線された複数の走査線及び複数のデータ線並びに該複数の走査線及び複数のデータ線の交差に対応するように配列された複数の画素部を有する電気光学装置の駆動装置であって、前記複数の走査線を介して走査信号を供給する走査信号供給手段と、前記複数のデータ線を介して、画像信号に対応し、所定の電位に対する極性がフレーム毎に反転する駆動電圧を前記複数の画素部に印加すると共に、所定の極性を有するパルス状の補正電圧を、少なくとも前記画像信号に先行するタイミングで前記複数のデータ線に印加する電圧印加手段とを備える。
【０００８】
本発明の電気光学装置の駆動装置によれば、その動作時には、例えば電源信号、データ信号、制御信号等の各種信号が入出力されると、本発明における「走査信号供給手段」の一例である走査信号駆動回路等によって、走査信号が複数の走査線に対して順次供給される。これと並行して本発明における「電圧印加手段」の一例であるデータ線駆動回路等によって、画像信号が複数のデータ線に対して、同時に又は逐次に供給される。その結果、走査線及びデータ線の交差に対応して配列された画素部に画像信号に対応した駆動電圧を印加される。そして、画素部に含まれる、例えば電気光学物質の配向状態を変え、各画素部における光透過率を制御することによって液晶表示等の電気光学動作が行われる。尚、画像信号に対応する駆動電圧は、基板間に挟持された電気光学物質に作用して表示画像に焼き付き等が発生しないように、フレーム反転駆動で極性反転しながら印加される。
【０００９】
本発明では特に、電圧印加手段は、前記複数のデータ線を介して、画像信号に対応し、所定の電位に対する極性がフレーム毎に反転する駆動電圧を前記複数の画素部に印加すると共に、所定の極性を有するパルス状の補正電圧を、少なくとも前記フレーム毎に前記画像信号に先行するタイミングで印加する。即ち、画像信号に対応する駆動電圧に先行して補正電圧が印加される。ここに「パルス状の」とは、駆動電圧の極性が反転する反転周期より短い、即ち、時間軸上で、駆動電圧の一反転周期分に対して局所的に存在するという意味である。従って、液晶の応答時間と比べると、十分に短いパルス状となる。また、補正電圧は、フレーム毎に極性が反転する駆動電圧と異なり、駆動装置の動作中、正負のどちらか一方に固定された極性を有している。
【００１０】
本願発明者の研究によると、このような補正電圧を、少なくとも画像信号に先行するタイミングで、複数のデータ線に印加することによって、フレーム反転駆動で駆動される電気光学装置の駆動装置において、表示画像のムラを低減できることが実験的に判明している。ここに「少なくとも画像信号に先行するタイミング」とは、画像信号に係る垂直走査の帰線期間或いは水平走査の帰線期間内における一タイミングを意味する。例えば「少なくとも」とは、フレーム毎に1回の画像信号に先行する１回のタイミングだけでも足りるが、１フレーム内の複数の水平期間（即ち、水平走査期間）の各々において画像信号に先行するタイミングであっても、即ちフレーム毎に複数回のタイミングであってもよい趣旨である。また、複数のフレームを一つの時間単位とみなした場合に、当該時間単位内で印加される画像信号に先行するタイミングであってもよい。また画像信号の場合とは異なり、補正電圧については複数のデータ線に対して、典型的には、一斉に供給される。
【００１１】
尚、補正信号は、例えば、各画素部に設けられたオフ状態にあるスイッチング素子等の存在により、画像信号（即ち、それに対応する駆動電圧）のように画素電極及び対向電極間に印加されることはなく、主にデータ線における電位を従前の画像信号（すなわち、それに対応する駆動電圧）の値から、補正電圧の値へと変化させる或いは近付けるように、電気的な仕事を行えば足りる。或いは、補正信号は、各画素に設けられたオン状態にあるスイッチング素子等の存在により、画像信号（即ち、それに対応する駆動電圧）のように画素電極及び対向電極間に印加されてもよく、この場合には、画像信号に対応する電圧が画素電極に保持されている期間が多少犠牲とされ得るが、データ線及び画素電極における電位を従前の画像信号（すなわち、それに対応する駆動電圧）の値から、補正電圧の値へと変化させる或いは近付けるように、電気的な仕事を行うことが可能と成る。
【００１２】
本発明に係る駆動装置が組み込まれた電気光学装置においては、画像表示領域のうち互いに異なる領域に配置された画素部同士は、駆動電圧が伝達される距離に応じて互いに異なる大きさの寄生容量を有している。そのため、仮にこれらの画素が同一のデータ線に接続されていたとしても、実際に画素部に印加される駆動電圧値は異なってしまう。また、液晶プロジェクタ等の強力な光が照射される電気光学装置に組み込まれた駆動装置では、例えば画素電極をスイッチング制御するために内部に組み込まれた薄膜トランジスタに光が照射されることによって、リーク電流が発生しやすいので、上述の画素部間における駆動電圧に差が発生することを助長してしまう。そこで、本発明に係る駆動装置は、少なくともこの駆動電圧値の差に起因する画像信号の供給後の複数のデータ線間における電位差を補うように、或いはこの駆動電圧値の差を補うように、補正電圧をフレーム毎に画像信号に先行するタイミングで、複数のデータ線に対して印加する。これによって、次にデータ線を介して供給或いは印加される画素に生じる駆動電圧の差を軽減することが可能となり、よって表示画像にムラが発生することを抑制することができる。
【００１３】
特に本発明における補正電圧は所定の極性を有している。ここで「所定の極性」とは、正負どちらか一方の極性を意味する。つまり、補正電圧は、フレーム毎に極性反転する画像信号に対応する駆動電圧の極性に関わらず、常に正又は負のどちらか一方の極性を有する。この点において、本発明における補正電圧は、背景技術２に挙げたような、駆動電圧の極性に応じて極性反転しながら印加する所謂プリチャージ電圧とは異なる性質を有する電圧である。即ち本発明に係る「補正電圧」は、画像信号に先行するタイミングで印加或いは供給されることから、タイミングとしては、プリチャージ信号の一種として捉えることも可能である。しかしながら、補正電圧は、既存のプリチャージ信号の場合と大きく異なり、所定の極性を有する（即ち、常時負極性であるか又は常時正極性である）。既存のプリチャージ信号の場合には、画像信号の書き込み負担を軽減する基本的な目的から、所定の極性では不適当である或いは根本原理に反する。プリチャージ信号の場合には、次に書き込もうとする画像信号の電圧の極性と同一極性で先行して書き込むことが必須である。
【００１４】
尚、補正電圧の具体的な極性及び大きさは、リーク電流の発生による画素部の電圧低下を補填するように適宜調整することによって設定するとよい。
【００１５】
以上のように、画素の駆動電圧の印加に先行して、本願発明に独自の補正電圧をデータ線に対して印加することによって、表示画像の焼き付き或いはフリッカの発生を防ぎつつ、表示画像にムラが発生することを防ぎ、表示画像の高品位化を図ることが可能な電気光学装置の駆動装置を実現することができる。
【００１６】
本発明の電気光学装置の駆動装置の一態様では、前記電圧印加手段は、前記補正電圧を、前記フレームの各々内における前記画像信号に係る水平期間毎に、前記画像信号に先行するタイミングで、前記複数のデータ線に対して、印加する。
【００１７】
この態様によれば、一本の走査線に走査信号を供給することにより、当該一本の走査線上にある画素を書き込み可能な状態にし、画像信号を書き込む水平期間毎に、補正電圧がデータ線に印加される。上述のように、補正電圧を一旦印加すると、駆動電圧値の差を軽減することができるが、当該差は時間の経過とともに再び拡大してしまう。そこで、本態様のようにフレーム期間より短い水平期間毎に、比較的頻繁に補正電圧を適当な時間的間隔で印加することで、駆動電圧の差が拡大してしまうことを抑制することができる。
【００１８】
本発明の電気光学装置の駆動装置の他の態様では、前記電圧印加手段は、前記補正電圧を、前記複数のデータ線に対して一斉に印加する。
【００１９】
この態様によれば、補正電圧は、少なくともフレーム毎に画像信号に先行するタイミングにおいて、全データ線に同時に印加される。この先行するタイミングは、上述の通り、画像信号に係る垂直走査の帰線期間或いは水平走査の帰線期間内における一タイミングを意味するので、水平走査期間等に比べて短い期間である。そのため、このような短い期間内に全データ線に対して駆動電圧の差を迅速に軽減するために、全データ線に一斉に補正電圧を印加するとよい。
【００２０】
本発明の電気光学装置の駆動装置の他の態様では、前記所定の極性は、負極性である。
【００２１】
この態様によれば、画素の駆動電圧に重畳的に印加される補正電圧は、駆動電圧の極性の正負に関わらず、駆動装置の動作中、常に負極性を有するように印加される。このように補正電圧の極性を負になるように設定することで、画像信号に先行するタイミングで補正電圧を加えることにより、表示画像の焼き付き或いはフリッカの発生を防ぎつつ、表示画像にムラが発生することを防ぎ、表示画像の高品位化を図ることが可能な電気光学装置の駆動装置を実現することができる。
【００２２】
本発明の電気光学装置の駆動装置の他の態様では、前記補正電圧は、前記駆動電圧が正極性を有するフレームに対して印加される第１の補正電圧と、前記駆動電圧が負極性を有するフレームに対して印加される第２の補正電圧とを含んでなる。
【００２３】
この態様によれば、画素の駆動電圧に重畳的に印加される補正電圧は、第１及び第２補正電圧を含んでなり、夫々、フレーム毎に極性が反転される駆動電圧が正極性及び負極性であるときに、電圧印加手段によって印加される。つまり、補正電圧の極性は、駆動電圧の極性反転に関わらず一定であるが、第１及び第２の補正電圧の振幅や時間幅等は互いに異なっていてもよい。尚、第１及び第２補正電圧の具体的な振幅及び時間幅等は、リーク電流の発生による画素電極の電圧低下を補填するように適宜調整することによって設定するとよい。
【００２４】
本発明の電気光学装置の駆動装置の他の態様では、
前記電圧印加手段は、前記複数のデータ線が分割された複数のブロックの夫々において、１水平期間内に所定の選択順で選択されたデータ線に前記駆動電圧を印加し、
前記所定の選択順を時間軸上で変更する選択順制御手段を更に備える。
【００２５】
この態様によれば、各ブロックでは、ブロックに含まれる複数のデータ線が１水平期間内（即ち、水平走査期間内）に順番に選択される。つまり、１水平期間内にブロックに含まれる全てのデータ線が選択されることとなる。ここで、「所定の選択順」とは、特定のブロックに含まれるデータ線を順番に選択する選択順であってもよいし、ブロック内のデータ線を順不同に選択する選択順であってもよく、１水平期間内にブロック内の全てのデータ線が選択されるような選択順を広く含む意味である。ここで、ブロック内に含まれるデータ線が選択される順番（即ち、「所定の選択順」）は、選択順制御手段によって変更することができる。例えば、フレーム毎に選択順を変更してもよいし、１水平期間毎に変更してもよい。
【００２６】
本願発明者の研究によると、上述のように補正電圧を画像信号に先行するタイミングで印加してもなお、画像表示領域においてスジ上のムラが残存する場合、本態様のように、ある期間毎にデータ線を選択する順番を変更することによって軽減、或いは解消することができることが実験的に確認されている。従って、本態様によれば、表示画像の焼き付きの防止或いはフリッカの発生の防止を達成しつつ、より一層高品位な画像を表示することが可能な電気光学装置の駆動装置を実現することができる。
【００２７】
上述のデータ線の選択順を変更可能な態様では、前記選択順制御手段は、少なくともフレーム毎に前記所定の選択順を変更してもよい。
【００２８】
この態様によれば、データ線の選択順をフレーム毎に頻繁に変更することによって、よりスジ上のムラを軽減、或いは解消することができる。
【００２９】
また、上述のデータ線の選択順を変更可能な態様では、前記選択順制御手段は、水平期間毎に前記選択順を変更してもよい。
【００３０】
この態様によれば、データ線の選択順を１水平期間毎に頻繁に変更することによって、よりスジ上のムラを軽減、或いは解消することができる。即ち、フレーム毎に選択順を変更する場合に比べて、更に頻繁に選択順を変更することによって、より一層、スジ上のムラを軽減、或いは解消することができる。
【００３１】
本発明の電気光学装置の駆動方法は上記課題を解決するために、画像表示領域に相交差して配線された複数の走査線及び複数のデータ線並びに該複数の走査線及び複数のデータ線の交差に対応するように配列された複数の画素部を有する電気光学装置の駆動方法であって、前記複数の走査線を介して走査信号を供給する工程と、前記複数のデータ線を介して、画像信号に対応し、所定の電位に対する極性がフレーム毎に反転する駆動電圧を前記複数の画素部に印加する工程と、所定の極性を有するパルス状の補正電圧を、少なくとも前記フレーム毎に前記画像信号に先行するタイミングで印加する工程とを備える。
【００３２】
本発明の駆動方法によれば、上述した本発明の駆動装置の場合と同様に、応答特性変化を補償可能な電気光学装置の駆動を実現することができる。
【００３３】
尚、本発明の駆動方法においても、上述した本発明の駆動装置と同様の各種態様を採ることが可能である。
【００３４】
本発明に係る電気光学装置は上記課題を解決するために、上述した本発明の電気光学装置の駆動回路（但し、その各種態様を含む）と、一対の基板と、該一対の基板に挟持された電気光学物質と、前記複数の走査線及び前記複数のデータ線の交差に対応して配列された画素電極とを備える。
【００３５】
本発明の電気光学装置によれば、上述した本発明の駆動装置を具備しているので、各画素部における応答特性変化によらずに、高品位の画像表示が可能となる。
【００３６】
本発明の電気光学装置の一の態様では、前記一対の基板の一方に前記画素部毎に設けられると共に、前記走査線から供給される前記走査信号に応じてオンすることで、前記データ線から供給される前記画像信号を、前記画素電極に供給するスイッチング素子を更に備え、前記電圧印加手段は、前記スイッチング素子がオン状態になる直前の期間に、前記補正電圧を印加する。
【００３７】
この態様によれば、電気光学装置は画素電極をスイッチング制御するための素子、例えば薄膜トランジスタを画素部毎に有している。特に本態様では、上述の補正電圧はスイッチング状態がオン状態になる直前、即ち、当該素子がオフ状態の間に印加されるため、補正電圧が画素電極に印加されることはない。従って、補正電圧によって基板間に挟持された電気光学物質の配向状態を乱してしまうことはない。
【００３８】
本発明の電気光学装置の他の態様では、前記補正電圧は、前記電気光学物質の応答時間に比べて短い時間幅を有する。
【００３９】
このように補正電圧を印加すれば、補正電圧が印加されることによって電気光学物質の配向状態が影響を受け、表示画像が乱れてしまうことはない。即ち、補正電圧は画像の階調表示に寄与しない。
【００４０】
本発明の電気光学装置の他の態様では、前記一対の基板の一方に前記画素部毎に設けられると共に、前記走査線から供給される前記走査信号に応じてオンすることで、前記データ線から供給される前記画像信号を、前記画素電極に供給するスイッチング素子を更に備え、前記電圧印加手段は、前記スイッチング素子がオン状態になっている期間に、前記補正電圧を印加する。
【００４１】
この態様によれば、例えばスイッチング素子として薄膜トランジスタを更に備えることによって、画素電極に電圧を印加するタイミングを調整することができる。特に、当該ＴＦＴがオン状態のときに補正電圧が印加され、データ線だけでなく画素電極にまで補正電圧が印加されるような場合であっても、補正電圧は電気光学物質の配向状態に影響を与えることはない。
【００４２】
本発明に係る電子機器は上記課題を解決するために、上述した本発明の電気光学装置を具備してなる。
【００４３】
本発明に係る電子機器によれば、上述した本発明に係る液晶装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００４４】
本発明のこのような作用及び他の利得は次に説明する実施形態から明らかにされる。
【発明を実施するための最良の形態】
【００４５】
以下、図面を参照して本発明の実施形態について説明する。
【００４６】
＜液晶装置＞
まず、図１及び図２を参照して、本発明に係る電気光学装置の駆動装置を組み込んだ電気光学装置の一例である薄膜トランジスタ（以下、ＴＦＴという）を用いた液晶装置の構成について説明する。図１は、液晶装置の電気的な構成をブロック毎に示したブロック図である。図２は、図１における表示部１、信号切り替え部３、データ供給線７及びドライバＩＣ５の具体的な回路構成を示すブロック図である。
【００４７】
表示部１は、ｎ行ｍ列（ｎ及びｍは整数）の画素を含むマトリックス表示部であり、マトリックス配線のＸ方向にｍ個、Ｙ方向にｎ個の画素を配列することで、ｍ×ｎの解像度を有する画素マトリックスを形成している。表示部１には信号切り替え部３を介してデータ供給線７が接続されており、ドライバＩＣ５から画像信号が供給されることにより、当該画像信号に対応する画像が表示部１に表示されるように構成されている。
【００４８】
図２に示すように、表示部１には、各画素に画像信号を供給するためのｍ本のデータ線Ｘ（Ｘ１、Ｘ２、Ｘ３、・・・、Ｘｍ）が配置されており、夫々、３本ずつのｋ個のブロックに分割されている。そして、データ線Ｘの各ブロックには、ドライバＩＣ５からデータ供給線７によって画像信号が供給される。即ち、１水平ライン（即ち、図１及び図２においてＸ方向）に並んだｍ画素分の画像信号を、ＩＣドライバ５において、データ線Ｘの各ブロックに対応したｋ個のドライブ回路に適した形式に変換し、更にＩＣドライバ５から出力された信号を、信号切り替え部３によって個々のデータ線に振り分けることによって、画像信号を全データ線Ｘに供給できるように構成されている。このように、本実施形態に係る液晶装置では、全データ線Ｘを複数のブロックに分け、各ブロック内で点順次による駆動（以下、ブロック内点順次駆動という）を行うことによって画像表示を実現する。
【００４９】
ここで、図３及び図４を参照して、本実施形態に係る液晶装置の表示部１付近の構成について具体的に説明する。ここに図３は、本実施形態に係る液晶装置の表示部１付近の構成を示す平面図であり、図４は、図１のＨ−Ｈ´線断面図である。
【００５０】
図３及び図４において、本実施形態に係る液晶装置は、ＴＦＴアレイ基板１０と対向基板２０とが対向配置することにほって構成されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。ＴＦＴアレイ基板１０と対向基板２０とは、複数の画素電極が設けられた画像表示領域１０ａの周囲に位置するシール領域に設けられたシール材５２により相互に接着されている。
【００５１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。
【００５２】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５３】
外部接続端子１０２には、画像表示領域１０ａに表示する画像に対応した画像信号を供給されるための外部回路が接続される。外部接続端子１０２に入力された画像信号は、図１に示すコントローラ６、ドライバＩＣ５及び信号切り替え部３等が形成されたデータ線駆動回路１０１にて処理される。
【００５４】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００５５】
図４において、ＴＦＴアレイ基板１０上には、画素スイッチング用のＴＦＴ３０や走査線、データ線等の配線が作りこまれた積層構造が形成されている。画像表示領域１０ａには、画素スイッチング用のＴＦＴや走査線、データ線等の配線の上層に、ＩＴＯ（Indium Tin Oxide）等の透明材料からなる画素電極９がマトリクス状に設けられている。画素電極９上には、配向膜（図４において省略）が形成されている。他方、対向基板２０におけるＴＦＴアレイ基板１０との対向面上に、ブラックマトリクス２３が形成されている。ブラックマトリクス２３は、例えば遮光性金属膜等から形成されており、対向基板２０上の画像表示領域１０ａ内で、例えば格子状、ストライプ状等にパターニングされている。遮光膜２３上には、ＩＴＯ等の透明材料からなる対向電極２１が複数の画素電極９と対向して、対向基板２０の全面に亘って（例えばベタ状に）形成されている。対向電極２１上には配向膜が形成されている。
【００５６】
このように構成され、画素電極９と対向電極２１とが対面するように配置されたＴＦＴアレイ基板１０と対向基板２０との間には、液晶層５０が形成されている。液晶層５０は、例えば一種又は数種類のネマティック液晶を混合した液晶からなり、これら一対の配向膜間で所定の配向状態をとる。
【００５７】
尚、図３及び図４に示したＴＦＴアレイ基板１０上には、これらのデータ線駆動回路１０１の他に、複数のデータ線に所定電圧レベルのプリチャージ信号を画像信号に先行して各々供給するプリチャージ回路、製造途中や出荷時の当該電気光学装置の品質、欠陥等を検査するための検査回路、検査用パターン等が形成されていてもよい。
【００５８】
再び図１に戻って、コントローラ６は、ドライバＩＣ５に対して、画像信号ＤＡＴＡ、ラッチタイミング信号ＬＰ、シフトレジスタのスタート信号ＳＴ、データクロック信号ＣＬＸ、並びに選択信号であるセレクト信号Ｓ１、Ｓ２及びＳ３を供給する。また、コントローラ６は、走査線駆動回路４に対して、走査線駆動回路４のスタート信号ＤＹ及び走査クロック信号ＣＬＹを供給する。尚、図１では、後述する図２に示すシフトレジスタ部１１、第１及び第２のラッチ回路１２、１３、セレクタ部１４及びドライバ１５が、ドライバＩＣ５に含まれているが、これらの全てあるいは一部を、表示部１と一体的に形成していてもよい。また、コントローラとドライバＩＣを一つにまとめたり、コントローラ機能の一部をドライバＩＣに組み込んでもよい。
【００５９】
続いて図２に示すように、ドライバＩＣ５は、シフトレジスタ部１１、第１のラッチ回路１２、第２のラッチ回路１３、セレクタ部１４及びドライバ部１５を含んで構成されている。ドライバＩＣ５のうちドライバ部１５は、各ブロック用に変換された画像信号を伝達するデータ供給線７を介して、信号切り替え部３に接続されている。
【００６０】
シフトレジスタ部１１には、データクロック信号ＣＬＸ及びスタート信号ＳＴが入力される。スタート信号ＳＴは、データクロック信号ＣＬＸに同期してシフトレジスタ部１１内を順番にシフトしていく。シフトレジスタ部１１の各単位レジスタからの出力信号は、第１のラッチ回路１２を構成する複数の単位ラッチ回路に夫々入力される。一方、画像信号である画像信号ＤＡＴＡは、第１のラッチ回路１２の全ての単位ラッチ回路に同時に供給される。単位レジスタからの出力信号が入力されると、画像信号ＤＡＴＡは、第１のラッチ回路１２の各単位ラッチ回路に順番に蓄積されていく。こうして、１ライン分、即ち、１水平走査線分のｍ個の画像信号ＤＡＴAが第１のラッチ回路１２に蓄積される。尚、画像信号ＤＡＴＡは、例えば、６ビットのディジタル信号である。
【００６１】
第２のラッチ回路１３は、ラッチタイミング信号ＬＰに従って第１のラッチ回路１２の画像信号ＤＡＴＡをそのままラッチする回路である。従って、第２のラッチ回路１３には、１ライン分のデータであるｍ個のデータが同時にラッチされる。なお、第２のラッチ回路１３の各ラッチ回路１３（１）、１３（２）、・・・１３（ｍ）は、夫々後述するデータ線Ｘ１、Ｘ２、・・・Ｘｍに対応した画像信号をラッチする。
【００６２】
セレクタ部１４は、複数のセレクト回路１４（１）、１４（２）、・・、１４（ｋ）からなる。１ライン分の画像信号ＤＡＴＡを、１ライン分のデータの先頭或いは終端から、連続した３つずつの画素に対応したデータに区切って分割することによって、複数の組（ブロック）を形成し、各組の３つのデータは、対応する各セレクト回路１４（ｋ）に入力される。具体的には、セレクト回路１４（１）には、画像信号ＤＡＴＡの１、２、３が入力され、セレクト回路１４（２）には、画像信号ＤＡＴＡの４、５、６が入力され、セレクト回路１４（ｋ）には、画像信号ＤＡＴＡのｍ−２、ｍ−１、ｍが入力される。セレクタ部１４には、セレクト信号Ｓ１、Ｓ２、Ｓ３が供給され、各セレクト回路１４（ｋ）は、セレクト信号Ｓ１、Ｓ２、Ｓ３に応じて、３つの入力画像データの中から予め決められた１つの画像データを選択して出力信号として、ドライバ部１５の対応するドライブ回路へ供給する。
【００６３】
ドライバ部１５は、複数のドライブ回路１５（１）、１５（２）、・・、１５（ｋ）からなる。例えば、セレクト信号Ｓ１が供給されたときは、セレクト回路１４（１）からは、画像信号ＤＡＴＡ１がドライブ回路１５（１）へ出力され、セレクト回路１４（２）からは、画像信号ＤＡＴＡ４がドライブ回路１５（２）へ出力され、セレクト回路１４（ｋ）からは、画像信号ＤＡＴＡｍ−２がドライブ回路１５（ｋ）へ出力される。尚、各ドライブ回路１５は、例えばディジタルアナログ変換器、増幅回路等を含む回路である。
【００６４】
各ドライブ回路１５からアナログ変換された画像信号ＤＡＴＡは、ｋ本のデータ供給線７を介して、信号切替え部３に供給される。信号切替え部３は、複数の信号切替え回路３（１）、３（２）、・・、３（ｋ）からなる。各信号切替え回路は、３つのスイッチ回路ＳＷ１、ＳＷ２、ＳＷ３を有する。各ドライブ回路からの供給された画像信号ＤＡＴＡは、対応する信号切替え回路の３つのスイッチ回路ＳＷ１、ＳＷ２、ＳＷ３の一端へ供給される。出力となる、各スイッチ回路の他端は、画素部２のＸ方向のデータ線群の対応するデータ線Ｘ１，Ｘ２，…，Ｘｍに接続される。信号切替え部３には、各スイッチ回路をオン・オフするセレクト信号Ｓ１、Ｓ２、Ｓ３が供給される。信号切替え部３の各スイッチ回路ＳＷ１、ＳＷ２、ＳＷ３は、セレクト信号Ｓ１、Ｓ２、Ｓ３に応じて、選択的に順次オンとなり、対応するドライブ回路からの画像信号ＤＡＴＡを対応するデータ線に供給する。
【００６５】
例えば、スイッチ回路ＳＷ１をオンにするセレクト信号Ｓ１が供給されたときは、信号切替え回路３（１）のスイッチ回路ＳＷ１がオンとなって、画像信号ＤＡＴＡ１に対応する画像信号が、データ線Ｘ１へ出力される。同様に、信号切替え回路３（２）のスイッチ回路ＳＷ１もオンとなって、画像信号ＤＡＴＡ４に対応する画像信号が、データ線Ｘ４へ出力される。同様に、信号切替え回路３（ｋ）のスイッチ回路ＳＷ１もオンとなって、画像信号ＤＡＴＡｍ−２に対応する画像信号が、データ線Ｘｍ−２へ出力される。
【００６６】
また、例えば、スイッチ回路ＳＷ２をオンにするセレクト信号Ｓ２が供給されたときは、信号切替え回路３（１）のスイッチ回路ＳＷ２がオンとなって、画像信号ＤＡＴＡ２に対応する画像信号が、データ線Ｘ２へ出力される。同様に、信号切替え回路３（２）のスイッチ回路ＳＷ２もオンとなって、画像信号ＤＡＴＡ５に対応する画像信号が、データ線Ｘ５へ出力される。同様に、信号切替え回路３（ｋ）のスイッチ回路ＳＷ２もオンとなって、画像信号ＤＡＴＡｍ−１に対応する画像信号が、データ線Ｘｍ−１へ出力される。
【００６７】
さらに、スイッチ回路ＳＷ３をオンにするセレクト信号Ｓ３が供給されたときは、信号切替え回路３（１）のスイッチ回路ＳＷ３がオンとなって、画像信号ＤＡＴＡ３に対応する画像信号が、データ線Ｘ３へ出力される。同様に、信号切替え回路３（２）のスイッチ回路ＳＷ３もオンとなって、画像信号ＤＡＴＡ６に対応する画像信号が、データ線Ｘ６へ出力される。同様に、信号切替え回路３（ｋ）のスイッチ回路ＳＷ３もオンとなって、画像信号ＤＡＴＡｍに対応する画像信号が、データ線Ｘｍへ出力される。
【００６８】
以上のように、各信号切替え回路は、セレクト信号Ｓ１、Ｓ２及びＳ３に応じて予め決められたスイッチ回路ＳＷ１、ＳＷ２及びＳＷ３をオンするように切替えることによって、各ドライブ回路１５からの画像信号を順次選択して対応するデータ線へ出力する。各スイッチ回路ＳＷ１、ＳＷ２、ＳＷ３は１水平期間内（即ち、水平走査期間内）に順次オンとなり、全ブロックでは１水平期間内に全てのデータ線に画像信号が供給される。このように、３つのデータ線で構成されたブロック毎に、点順次での駆動が行われる。
【００６９】
本実施形態では特に、コントローラ６からセレクト信号Ｓ１〜Ｓ３を出力するタイミングを調整することによって、スイッチ回路ＳＷ１、ＳＷ２、ＳＷ３のオンにする順番を、時間軸上、例えばライン毎に切換えるように構成されている。
【００７０】
例えば、ある１水平期間において、セレクト信号Ｓ１〜Ｓ３によって、スイッチ回路ＳＷ１、ＳＷ２、ＳＷ３がこの順に順次オンになって、先ずデータ線Ｘ１、Ｘ４、Ｘ７、・・・に画像信号が供給され、次に、データ線Ｘ２、Ｘ５、Ｘ８、・・・に画像信号が供給され、最後にデータ線Ｘ３、Ｘ６、Ｘ９、・・・に画像信号が供給されるものとする。続いて、次の水平期間では、コントローラ６からセレクト信号Ｓ１〜Ｓ３を出力するタイミングを調整することによって、スイッチ回路ＳＷ１、ＳＷ２、ＳＷ３を例えばスイッチ回路ＳＷ２、ＳＷ１、ＳＷ３の順に順次オンにすると、先ずデータ線Ｘ２、Ｘ５、Ｘ８、・・・に画像信号を供給し、次にデータ線Ｘ１、Ｘ４、Ｘ７、・・・に画像信号を供給し、最後にデータ線Ｘ３、Ｘ６、Ｘ９、・・・に画像信号を供給することができる。
【００７１】
本実施形態では特に、スイッチ回路ＳＷ１、ＳＷ２、ＳＷ３をオンにする順番を水平期間毎に変更するように構成されている。具体的には、コントローラ６によって、図５に示すように、連続する３つのフレーム期間において、夫々、水平期間毎に第１パターン（Ｓ１、Ｓ２、Ｓ３）、第２パターン（Ｓ２、Ｓ３、Ｓ１）及び第３パターン（Ｓ３、Ｓ１、Ｓ２）が交互に切り替わるように構成されている。
【００７２】
ここで、図６は、上述した回路構成における各信号の入出力のタイミングを示すタイミングチャートである。図６は、図２の回路構成における、スタートパルスＳＴ、データクロック信号ＣＬＸ、ラッチタイミング信号ＬＰ、セレクト信号Ｓ１、Ｓ２、Ｓ３、及び走査側スタート信号ＤＹ及び走査側シフト信号ＣＬＹのタイミングチャートを表している。
【００７３】
表示部１における各画素に対応した画像信号ＤＡＴＡ１、２、・・、ｍは、データクロックＣＬＸに対応した転送レートで第１のラッチ回路１２に供給される。スタートパルスＳＴは、データクロックＣＬＸに応じてシフトレジスタ部１１を順次シフトして、第１のラッチ回路１２の各単位ラッチにラッチパルスを供給する。これにより、各単位ラッチは、画素部２の水平方向の各画素に対応した画像信号ＤＡＴＡ１、２、・・、ｍを順次ラッチする。
【００７４】
第１のラッチ回路１２に保持された１ライン分の画像信号ＤＡＴＡ１、２、・・、ｍは、ラッチタイミング信号ＬＰのタイミングで、第２のラッチ回路１３にラッチされて出力される。第２のラッチ回路１３から出力された１ライン分の画像データが、ゲート信号によってオンとなった走査線（走査線）の各画素電極に１水平期間内に書き込まれる。
【００７５】
ｎ行の内、Ｌ−１行目の走査線が選択される期間、即ち、第（Ｌ−１）水平期間において、図６に示すような信号波形の走査信号Ｙ（Ｌ−１）が対応する走査線に出力される。第（Ｌ−１）水平期間において画像信号ＤＡＴＡがデータ線に印加されている間、走査信号Ｙ（Ｌ−１）はハイレベル（以下、ＨＩＧＨという）に設定されている。特に、後に詳述する負極性を有するパルス状の補正電圧が入力された直後に、走査信号Ｙ（Ｌ−１）をハイレベルにしている。このようなタイミングで走査信号Ｙをハイレベルにすることで、画素電極に直接補正電圧が印加されることによって表示画像が乱れることを防止している。尚、負極性を有するパルス状の補正電圧が、基板間に挟持された液晶５０の配向状態に影響を与えない場合、例えば、パルス幅が短く印加時間が小さい補正電圧の場合等には、画素電極に補正電圧が印加されたとしても表示画像が乱れることはないため、補正電圧が入力される前から走査信号Ｙをハイレベルに設定してもよい。
【００７６】
第２のラッチ回路１３からの１ライン分の画像データは、隣接した３画素ずつのｋ個のブロックに分割され、各ブロックのうちの１画素の画像データがセレクト回路１４（１）、１４（２）、・・、１４（ｋ）によって選択される。この選択はセレクト信号Ｓ１，Ｓ２，Ｓ３に基づいて行われる。セレクト信号Ｓ１，Ｓ２，Ｓ３は、図４に示すように、いずれも１水平期間の約１／３の期間だけＨＩＧＨとなる信号である。セレクト回路１４（１）、１４（２）、・・、１４（ｋ）は、セレクト信号Ｓ１，Ｓ２，Ｓ３のＨＩＧＨによって、各組の１画素の画像データを選択する。
【００７７】
即ち、セレクト回路１４（１）、１４（２）、・・・、１４（ｋ）は、セレクト信号Ｓ１のＨＩＧＨによって、画素（１）、（４）、（７）、・・・の画像信号ＤＡＴＡ１、４、７、・・・を選択して出力し、セレクト信号Ｓ２のＨＩＧＨによって、画素（２）、（５）、（８）の画像信号ＤＡＴＡ２、５、８、・・・を選択して出力し、セレクト信号Ｓ３のＨＩＧＨによって、画素（３）、（６）、（９）の画像信号ＤＡＴＡ３、６、９、・・・を選択して出力する。
【００７８】
セレクト回路１４（１）、１４（２）、・・、１４（ｋ）からの画像データは、夫々ドライブ回路１５（１）、１５（２）、・・、１５（ｋ）によってアナログ信号に変換されて増幅された後、信号切替え回路３（１）、３（２）、・・、３（ｋ）に供給される。信号切替え回路３（１）、３（２）、・・、３（ｋ）は、夫々、入力された画像データをデータ線Ｘ１、Ｘ２、・・・に分岐させる。
【００７９】
信号切替え回路３（１）、３（２）、・・、３（ｋ）もセレクト信号Ｓ１、Ｓ２、Ｓ３によって制御され、１入力を３出力のうち１つに出力する。即ち、信号切替え回路３（１）、３（２）、・・、３（ｋ）は、セレクト信号Ｓ１のＨＩＧＨで、３出力のうちの１番目の出力に画像データを出力し、セレクト信号Ｓ２のＨＩＧＨで、３出力のうちの２番目の出力に画像データを出力し、セレクト信号Ｓ３のＨＩＧＨで、３出力のうちの３番目の出力に画像データを出力する。
【００８０】
即ち、セレクト信号Ｓ１がＨＩＧＨの期間には、セレクト回路１４（１）、１４（２）、・・・１４（ｋ）によって選択された画像データは、データ線Ｘ１、Ｘ４、Ｘ７、・・・に供給され、セレクト信号Ｓ２がＨＩＧＨの期間には、セレクト回路１４（１）、１４（２）、・・、１４（ｋ）によって選択された画像データは、データ線Ｘ２、Ｘ５、Ｘ８、・・・に供給され、セレクト信号Ｓ３がＨＩＧＨの期間には、セレクト回路１４（１）、１４（２）、・・、１４（ｋ）によって選択された画像データは、データ線Ｘ３、Ｘ６、Ｘ９、・・・に供給される。
【００８１】
以上のように、図６の第（Ｌ−１）水平期間における最初の約１／３の期間には、セレクト信号Ｓ１のＨＩＧＨによって、画像信号ＤＡＴＡ１、４、７、・・・が、データ線Ｘ１、Ｘ４、Ｘ７、・・・に供給される。第（Ｌ−１）水平期間には、走査信号ＹＬ−１がＨＩＧＨになっており、走査線Ｌ−１の１、４、７、・・・番目の各ＴＦＴ１６には、データ線Ｘ１、Ｘ４、Ｘ７、・・・を介して画像信号ＤＡＴＡ１、４、７、・・・が供給され、以後第（Ｌ−１）水平期間の終了まで画素電極への書込みが行われる。
【００８２】
第（Ｌ−１）水平期間における次の約１／３の期間には、セレクト信号Ｓ２のＨＩＧＨによって、走査線Ｌ−１の２、５、８、・・・番目の各ＴＦＴ１６には、データ線Ｘ２、Ｘ５、Ｘ８、・・・を介して画像信号ＤＡＴＡ２、５、８、・・・が供給され、以後第（Ｌ−１）水平期間の終了まで画素電極への書込みが行われる。更に、第（Ｌ−１）水平期間における最後の約１／３の期間には、セレクト信号Ｓ３のＨＩＧＨによって、走査線Ｌ−１の３、６、９、・・・番目の各ＴＦＴ１６には、データ線Ｘ３、Ｘ６、Ｘ９、・・・を介して画像信号ＤＡＴＡ３、６、９、・・・が供給され、以後第（Ｌ−１）水平期間の終了まで画素電極への書込みが行われる。
【００８３】
このように、走査線Ｌ−１の各ＴＦＴ１６には、データ線を介して画像データが入力されたタイミング以降、走査信号Ｙがローレベル（以下、ＬＯＷという）となるまでの間、画像データが供給されて画素電極への書込みが行われる。従って、データ線Ｘ１、Ｘ４、Ｘ７、・・・を介した画素電極への書き込み時間は約１Ｈ（水平）期間であり、データ線Ｘ２、Ｘ５、Ｘ８、・・・を介した画素電極への書き込み時間は約（２／３）Ｈ期間であり、データ線Ｘ３、Ｘ６、Ｘ９、・・・を介した画素電極への書き込み時間は約（１／３）Ｈ期間である。
【００８４】
以後、同様の動作によって、セレクト信号Ｓ１、Ｓ２、Ｓ３に基づいて選択された画像データは、対応するデータ線に供給され、オンとなったＴＦＴ１６を介して画素電極に書き込まれる。
【００８５】
本実施形態においては、次の第Ｌ水平期間においては、画像データの書き込みを行うデータ線の順番が、第（Ｌ−１）水平期間とは異なる順番になるように設定されている。即ち、図６の２列目に示すように、ゲート信号ＹＬがＨＩＧＨとなる第Ｌ水平期間においては、１水平期間の最初の約１／３の期間にセレクト信号Ｓ３がＨＩＧＨとなり、次の約１／３の期間にセレクト信号Ｓ１がＨＩＧＨとなり、最後の約１／３の期間にセレクト信号Ｓ２がＨＩＧＨとなる。
【００８６】
従って、データ線Ｘ３、Ｘ６、Ｘ９、・・・を介した画素電極への書き込みは第Ｌ水平期間の最初から約１Ｈ期間行われ、データ線Ｘ１、Ｘ４、Ｘ７、・・・を介した画素電極への書き込みは、第Ｌ水平期間の途中から約（２／３）Ｈ期間行われ、データ線Ｘ２、Ｘ５、Ｘ８、・・・を介した画素電極への書き込みは、第Ｌ水平期間の最後の約（１／３）Ｈ期間行われる。
【００８７】
第（Ｌ＋１）水平期間においては、１水平期間の最初の約１／３の期間にセレクト信号Ｓ２がＨＩＧＨとなり、次の約１／３の期間にセレクト信号Ｓ３がＨＩＧＨとなり、最後の約１／３の期間にセレクト信号Ｓ１がＨＩＧＨとなる。
【００８８】
この場合には、データ線Ｘ２、Ｘ５、Ｘ８、・・・を介した画素電極への書き込みは第（Ｌ＋１）水平期間の最初から約１Ｈ期間行われ、データ線Ｘ３、Ｘ６、Ｘ９、・・・を介した画素電極への書き込みは、第（Ｌ＋１）水平期間の途中から約（２／３）Ｈ期間行われ、データ線Ｘ１、Ｘ４、Ｘ７、・・・を介した画素電極への書き込みは、第（Ｌ＋１）水平期間の最後の約（１／３）Ｈ期間行われる。以後同様の動作によって、ディスプレイ装置におけるｎ行ｍ列（ｎ、ｍは整数）のマトリックス表示が行われる。
【００８９】
結局、第（Ｌ−１）〜（Ｌ＋１）水平期間の３水平期間においては、データ線Ｘ１、Ｘ４、Ｘ７、・・・を介した画素電極への書き込みは計約２Ｈ期間行われ、データ線Ｘ２、Ｘ５、Ｘ８、・・・を介した画素電極への書き込みも計約２Ｈ期間行われ、データ線Ｘ３、Ｘ６、Ｘ９、・・・を介した画素電極への書き込みも計約２Ｈ期間行われる。
【００９０】
以後、セレクト信号Ｓ１、Ｓ２、Ｓ３は、３水平期間周期で、同様のパターンを繰返す。即ち、所定の連続した３水平期間、つまり、連続した３ラインで見れば、各画素電極への書き込み時間はいずれのデータ線において等しい。これにより、各ラインで発生している輝度むらは、３ライン毎に平均化され、全体として輝度むらのない画像を表示することが可能となる。
【００９１】
このように、本実施の形態においては、ブロック内点順次駆動に際して、ブロック内の各データ線に画像データを供給するタイミングを、１ライン毎に切換え、複数ラインで各データ線による画素電極の書き込み時間を均一にするようになっている。こうして、書込み時間による画面内の輝度の変化は、同一輝度の画素同士が分散されることにより、複数ラインで平均化され、表示ムラは見えにくくなる。
【００９２】
なお、上記実施の形態においては、セレクト信号Ｓ１，Ｓ２，Ｓ３の全てのタイミングを変更して、セレクト信号Ｓ１，Ｓ２，Ｓ３の発生パターンを３水平期間で元に戻す設定にすることにより、画素電極に対する書き込み時間を３水平期間で均一化した。しかし、書き込み時間を均一化する時間周期は３水平期間でなくてもよい。また、セレクト信号の発生パターンは図５に示したパターンに限られず、当然に種々の変形が可能である。
【００９３】
また、セレクト信号Ｓ１，Ｓ２，Ｓ３の全てのタイミングを変更するのではなく、任意の１つ又は２つのセレクト信号のタイミングを変更しても、少なからず同様の効果を得ることができる。例えば、セレクト信号Ｓ２の発生パターンは変更せず、セレクト信号Ｓ１，Ｓ３の発生パターンを１水平期間周期で相互に切換えるようにしてもよい。この場合には、２水平期間で、全画素の書き込み時間を均一にすることができる。即ち、セレクト信号Ｓ１，Ｓ２，Ｓ３の発生パターンを時間軸上で変更しさえすれば、画素への書き込み時間を多少なりとも均一化することができる。尚、ドライブ回路の駆動能力が高い場合のように、セレクト信号のＨＩＧＨ期間を、１水平期間の１／３の時間よりも短い時間に設定することができる場合には、セレクト信号Ｓ１，Ｓ２，Ｓ３のいずれか１つの発生タイミングを変更するだけでも、多少の効果を得ることができる。
【００９４】
ここで、図７は、連続する３フレーム期間（即ち、第（Ｍ−１）フレーム期間、第Ｍフレーム期間及び第（Ｍ＋１）フレーム期間）に渡って、ラッチタイミング信号ＬＰ、セレクト信号Ｓ１、Ｓ２、Ｓ３、及び補正電圧を含めた画像信号ＤＡＴＡの出力タイミングを示したタイミングチャートである。図７では特に、補正電圧を含めた画像信号ＤＡＴＡを具体的な波形を例示して表している。尚、補正電圧は図７において矢印で指摘してあり、当該矢印で示した以外の波形は、表示画像に応じた画像信号ＤＡＴＡの波形を表している。
【００９５】
図７において矢印で示したように、水平期間毎に画素１からｍに対応する画像ＤＡＴAを供給する前に、画像ＤＡＴAの基準電位に対して負極性を有するパルス状の補正電圧が印加されている。つまり、画像信号に対応する駆動電圧に、パルス状の補正電圧が重畳的に印加されている。また、補正電圧の時間幅は、液晶装置における基板（典型的にはＴＦＴアレイ基板及び対向基板）間に挟持されている液晶層を構成する液晶分子の電圧応答時間に比べて短くなるように設定されている。
【００９６】
本実施形態に係る液晶装置では、表示部１に組み込まれた液晶層の焼き付きを防止するために、液晶層に印加する駆動電圧、即ち、表示画像に応じた画像信号ＤＡＴＡはフレーム期間毎に極性反転させながら印加されている。図７では、第（Ｍ−１）フレーム期間では画像信号ＤＡＴＡは、基準電圧（図７において点線で示したライン）に対して負極性で印加されている。そして、次の第Ｌフレーム期間では基準電圧に対して正極性に反転されており、更に次の第（Ｍ＋１）フレーム期間では再び基準電圧に対して負極性に反転されている。
【００９７】
一方、画像信号ＤＡＴＡに重畳的に印加されている補正電圧Ｖは、第（Ｍ−１）フレーム期間から第（Ｍ＋１）フレーム期間に渡って、常に基準電位に対して負極性を有している。また、画像信号ＤＡＴＡが負極性を有している第（Ｍ−１）フレーム期間及び第（Ｍ＋１）フレーム期間において印加されている補正電圧Ｖ（以下、第１の補正電圧Ｖ１という）は、振幅が同じである。一方、第Ｌフレーム期間において印加されている補正電圧Ｖ（以下、第２の補正電圧Ｖ２という）は、第１の補正電圧Ｖ１とは異なる振幅を有している。つまり、画像信号ＤＡＴＡの極性によって、重畳的に印加される補正電圧の大きさが異なるように設定されている。また、第１の補正電圧Ｖ１及び第２の補正電圧Ｖ２は共に、各フレーム期間において画像信号ＤＡＴＡが供給される前に、全データ線に一斉に印加される。即ち、図６及び図７に示すように、第１の補正電圧Ｖ１及び第２の補正電圧Ｖ２が供給されるタイミングに、コントローラ６によってセレクト信号Ｓ１、Ｓ２、Ｓ３がハイレベルになるように設定されている。
【００９８】
本願発明者の研究によると、このように補正電圧Ｖを画像信号ＤＡＴＡに先行するタイミングで印加することによって、フレーム反転駆動で駆動される電気光学装置の駆動装置において、表示画像のムラを低減できることが実験的に判明している。駆動電圧を印加して背景に中間調で黒のウインドウパターンを表示しようとする場合、本来同じ輝度で表示されるべきＡ部及びＢ部は、仮に補正電圧を印加しないと図８に示すように、輝度に差が生じてしまい、表示ムラが発生してしまう。図８は、補正電圧を印加しない場合に表示画像に生じるムラを模式的に示す模式図である。尚、図８では図示を省略しているが、走査線及びデータ線は夫々、Ｘ方向及びＹ方向に沿って延在している。まず、駆動される走査線が（１）で示す点線上にあるとき、（ａ）の範囲にある画素に接続されたデータ線に対しては、画素を黒表示すべく特定の駆動電圧が印加されるが、（ｂ）の範囲にある画素に接続されたデータ線は白表示すればよいので、当該範囲にあるデータ線に駆動電圧は印加されない、又は印加されたとしても少なくとも（ａ）の範囲に比べると格段に小さい駆動電圧が印加される。このとき、（２）で示す点線上にある画素は書き込み可能なように駆動されていないが、当該画素に接続されているデータ線には、（１）で示す点線上にある画素と同様に、（ａ）の範囲において（ｂ）の範囲に比べて大きな駆動電圧が印加されている。即ち、Ａ部におけるデータ線に印加される電圧と、Ｂ部のデータ線において印加される電圧とが異なることに起因して、図８に示すように表示ムラが生じてしまう。特に、液晶プロジェクタ等の強力な光が照射される電気光学装置に組み込まれた駆動装置では、例えば画素電極をスイッチング制御するために内部に組み込まれた薄膜トランジスタ３０に光が照射されることによって、リーク電流が発生しやすく、上述のように表示ムラが発生しやすい。このように、各画素に印加される駆動電圧に差が生じると、表示画像に表示ムラ、即ち、クロストークが発生し、画質が著しく低下してしまう。
【００９９】
本願発明者の研究によると、このような補正電圧Ｖを画像信号ＤＡＴＡに先行するタイミングで印加することによって、フレーム毎に画像データの極性を反転させながら駆動する液晶装置において、表示画像のムラを低減することができることが実験的に判明している。図９は、第１の補正電圧Ｖ１及び第２の補正電圧Ｖ２の振幅の変化に対する、表示画像におけるクロストークの大きさを測定した結果を示す表である。図９では、第１の補正電圧Ｖ１の振幅をー４Ｖに固定し、第２の補正電圧Ｖ２の振幅を変化させている。その結果、第２の補正電圧Ｖ２の極性を正にした場合に比べて、負にした場合の方が発生するクロストークの大きさが小さくなっている。つまり、画素に印加する画像データの極性に関わらず、負極性の補正電圧を印加することにより、クロストークを小さく抑えることができることが実験的に判明している。
【０１００】
尚、前述で示した背景技術２においても、補正電圧Ｖは、極性反転する画像データの書き込み速度を補助することでクロストークを改善し、画質の向上を図っている。しかしながら、背景技術２における補正電圧は、所謂、プリチャージ電圧であり、その極性が反転する画像データの極性に応じて反転するものであることから、本発明における補正電圧Ｖとは根本的に性質が異なるものと考えられる。
【０１０１】
以上のように、補正電圧Ｖを画素信号ＤＡＴＡに先行するタイミングで印加することによって、表示画像の焼き付き及びフリッカの発生を防ぎつつ、表示画像にムラが発生することを防ぎ、表示画像の高品位化を図ることが可能な電気光学装置の駆動装置を実現することができる。
【０１０２】
尚、以上の実施形態では、複数の走査線を３本ずつ分割したブロック毎に信号切り替え回路を配置して切り替える場合について説明したが、複数の走査線を他の本数（例えば、４本、８本、１２本及び１６本・・・等）に分割したブロック毎に信号切り替え回路を配置した場合においても、本発明を同様に適用することで拡張可能である。
【０１０３】
＜電子機器＞
次に、上述した電気光学装置である液晶装置を各種の電子機器に適用する場合について説明する。ここに図１０は、プロジェクタの構成例を示す平面図である。以下では、この液晶装置をライトバルブとして用いたプロジェクタについて説明する。
【０１０４】
図１０に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１０５】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１０６】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１０７】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【０１０８】
尚、図１０を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１０９】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１１０】
本発明は、上述した実施形態に限られるものではなく、請求の範囲及び明細書全体から読み取れる発明の要旨或いは思想に反しない範囲で適宜変更可能であり、そのような変更を伴う電気光学装置用基板及び電気光学装置、並びに該電気光学装置を備えた電子機器もまた本発明の技術的範囲に含まれるものである。
【図面の簡単な説明】
【０１１１】
【図１】本実施形態に係る電気光学装置の電気的構成を示したブロック図である。
【図２】本実施形態に係る電気光学装置における信号切り替え部及びドライバＩＣにおける回路ブロック図である。
【図３】本実施形態に係る電気光学装置の表示部付近の具体的な構成を示す模式図である。
【図４】図３におけるＨ−Ｈ´線断面図である。
【図５】本実施形態に係る電気光学装置の各フレームにおける駆動パターンを示す表である。
【図６】本実施形態に係る電気光学装置における画像表示に関する各種信号の入出力タイミングを示すタイミングチャートである。
【図７】本実施形態に係る電気光学装置の連続する複数フレームにおける駆動電圧及び補正電圧の波形を示すタイミングチャートである。
【図８】補正電圧を印加しない場合に表示画像に生じるムラを模式的に示す模式図である。
【図９】本実施形態に係る電気光学装置における補正電圧の振幅及び極性と、表示画像におけるクロストークの大きさとの関係を示す表である。
【図１０】電気光学装置を適用した電子機器の一例たるプロジェクタの構成を示す平面図である。
【符号の説明】
【０１１２】
１  表示部、  ３  信号切り替え部、  ４  走査線駆動回路、  ５  ドライバＩＣ、  ６  コントローラ、  ７  データ供給線、  １１  シフトレジスタ部、  １２  第１のラッチ回路、  １３  第２のラッチ回路、  １４  セレクタ部、  １５  ドライバ部、  １６  ＴＦＴ、  Ｖ  補正電圧、  Ｖ１  第１の補正電圧、  Ｖ２  第２の補正電圧
【図１】
2010127953.tif 000003
【図２】
2010127953.tif 000004
【図３】
2010127953.tif 000005
【図４】
2010127953.tif 000006
【図５】
2010127953.tif 000007
【図６】
2010127953.tif 000008
【図７】
2010127953.tif 000009
【図８】
2010127953.tif 000010
【図９】
2010127953.tif 000011
【図１０】
2010127953.tif 000012